(57)【特許請求の範囲】
【請求項１】
駆動電力およびデータ等の授受を行うための複数の接触端子と、この接触端子と接続された接触式インターフェイスと、アンテナと、このアンテナを介して受信した信号により駆動電力の生成および受信データの復調を行う非接触式インターフェイスとを有すると共に、前記接触式インターフェイスまたは非接触式インターフェイスにより選択的に駆動される制御回路とを有する複合ＩＣカードにおいて、
前記接触式インターフェイス及び非接触式インターフェイスの一方を選択して前記制御回路へ接続する選択接続手段と、
前記接触式インターフェイスから駆動電力が供給され前記非接触式インターフェイスから駆動電力が供給されていないとき前記接触式インターフェイスにより起動されたと判別し、前記非接触式インターフェイスから駆動電力が供給され前記接触式インターフェイスから駆動電力が供給されていないとき前記非接触式インターフェイスにより起動されたと判別する判別手段と、
この判別手段による判別結果に基づいて、前記制御回路による実行可能なコマンドを切り替える切替手段と、
前記判別手段による判別結果に基づいて、前記選択接続手段による前記接触式インターフェイス若しくは非接触式インターフェイスの一方を前記制御回路に接続した状態を維持すると共に、前記接触式インターフェイス若しくは非接触式インターフェイスの他方を介しての信号の入出力を禁止状態とする保持手段と、
前記接触式インターフェイスから駆動電力が供給され前記非接触式インターフェイスから駆動電力が供給されていない状態であるか、前記非接触式インターフェイスから駆動電力が供給され前記接触式インターフェイスから駆動電力が供給されていない状態であるかを示す、前記接触式インターフェイス及び非接触式インターフェイスからの状態信号に基づいて前記判別手段の初期化動作を行う初期化手段とを有し、
前記初期化手段は、前記接触式インターフェイス及び非接触式インターフェイスからの状態信号を記憶すると共に、予め記憶されるプログラムに基づいて前記判別手段の初期化動作を行い、
前記保持手段は、当該複合ＩＣカードが前記接触式インターフェイスまたは非接触式インターフェイスの一方を介して外部機器との通信中に、前記接触式インターフェイス及び非接触式インターフェイスからの状態信号を監視すると共に、この監視結果が、前記初期化手段に記憶されている前記接触式インターフェイス及び非接触式インターフェイスからの状態信号と変化しているか否かを判別し、変化している場合に前記外部機器との通信を停止状態とすることを特徴とする複合ＩＣカード。
【請求項２】
接触式インターフェイスと非接触式インターフェイスとを有すると共に、前記接触式インターフェイスまたは非接触式インターフェイスにより選択的に駆動される制御回路とを有する複合ＩＣカード用ＩＣモジュールにおいて、
前記接触式インターフェイス及び非接触式インターフェイスの一方を選択して前記制御回路へ接続する選択接続手段と、
前記接触式インターフェイスから駆動電力が供給され前記非接触式インターフェイスから駆動電力が供給されていないとき前記接触式インターフェイスにより起動されたと判別し、前記非接触式インターフェイスから駆動電力が供給され前記接触式インターフェイスから駆動電力が供給されていないとき前記非接触式インターフェイスにより起動されたと判別する判別手段と、
この判別手段による判別結果に基づいて、前記制御回路による実行可能なコマンドを切り替える切替手段と、
前記判別手段による判別結果に基づいて、前記選択接続手段による前記接触式インターフェイス若しくは非接触式インターフェイスの一方を前記制御回路に接続した状態を維持すると共に、前記接触式インターフェイス若しくは非接触式インターフェイスの他方を介しての信号の入出力を禁止状態とする保持手段と、
前記接触式インターフェイスから駆動電力が供給され前記非接触式インターフェイスから駆動電力が供給されていない状態であるか、前記非接触式インターフェイスから駆動電力が供給され前記接触式インターフェイスから駆動電力が供給されていない状態であるかを示す、前記接触式インターフェイス及び非接触式インターフェイスからの状態信号に基づいて前記判別手段の初期化動作を行う初期化手段とを有し、
前記初期化手段は、前記接触式インターフェイス及び非接触式インターフェイスからの状態信号を記憶すると共に、予め記憶されるプログラムに基づいて前記判別手段の初期化動作を行い、
前記保持手段は、当該複合ＩＣカードが前記接触式インターフェイスまたは非接触式インターフェイスの一方を介して外部機器との通信中に、前記接触式インターフェイス及び非接触式インターフェイスからの状態信号を監視すると共に、この監視結果が、前記初期化手段に記憶されている前記接触式インターフェイス及び非接触式インターフェイスからの状態信号と変化しているか否かを判別し、変化している場合に前記外部機器との通信を停止状態とすることを特徴とする複合ＩＣカード用ＩＣモジュール。
【発明の詳細な説明】
【技術分野】
【０００１】
本発明は、複合ＩＣカード及び複合ＩＣカード用ＩＣモジュールに係り、特に、いずれのインターフェイスから駆動された場合でも誤動作を防止することにより、複合ＩＣカードとしての信頼性を十分に確保するようにした複合ＩＣカード及び複合ＩＣカード用ＩＣモジュールに関する。
【背景技術】
【０００２】
従来より接触式及び非接触式インターフェイスを有するＩＣカードとして、特許文献１に示されるようなものが知られている。
【０００３】
すなわち、特許文献１に示される複合ＩＣカードは、メモリ及びＣＰＵを有すると共に、外部からの入力に応答して信号を発生するＩＣを備え、外部機器と接触して通信するための電気的接点機構と、外部機器と非接触で通信するためのアンテナ機構とを併設したカードである。
【０００４】
そして、この複合ＩＣカードは、電気的接点機構に接続した外部機器によりメモリの内容の書込み、変更が可能であり、外部機器と非接触で通信する場合にはメモリ内の特定情報を変調してアンテナ機構から出力するように構成されている。
【０００５】
また、特許文献２には、端末装置から供給される電圧により充電されるバッテリを内蔵した複合ＩＣカードが開示されている。
【特許文献１】特公平４−１６８３１号公報
【特許文献２】特開平９−３２６０２１号公報
【発明の開示】
【発明が解決しようとする課題】
【０００６】
しかるに、上述したような複合ＩＣカードの解決すべき問題点は次のとおりである。
【０００７】
（１）上述したような複合ＩＣカードでは、外部機器と接触して応答する場合及び外部機器と非接触で応答する場合の双方においてメモリ等のＩＣが共用されているものの、外部機器と非接触で応答する場合には、単にデータを出力するのみであるので、外部機器と非接触で応答する場合には照合媒体としてしか利用できず、用途が限定されてしまう。
【０００８】
（２）また、上述したような複合ＩＣカードでは、外部機器と非接触式で応答する場合には、ＣＰＵは動作しておらず、非接触で応答する場合には十分なセキュリティ機能を実現することができない。
【０００９】
（３）また、上述したような複合ＩＣカードでは、電気的接点機構を介して外部機器に接続されて駆動されている間に、非接触式のアンテナを介して駆動された場合、もしくは、非接触式のアンテナを介して外部機器に駆動されている間に、電気的接点機構を介して外部機器から駆動された場合に誤動作を防止する対策が全くとられておらず、複合ＩＣカードとしての信頼性が十分ではないということである。
【００１０】
そこで、本発明は以上のような点に鑑みてなされたもので、接触式及び非接触式インターフェイスを有する複合ＩＣカード及び複合ＩＣカード用ＩＣモジュールにおいて、接触式及び非接触式インターフェイスのいずれのインターフェイスから駆動された場合でも誤動作を防止することにより、複合ＩＣカード及び複合ＩＣカード用ＩＣモジュールとしての信頼性を十分に確保するようにした複合ＩＣカード及び複合ＩＣカード用ＩＣモジュールを提供することを目的としている。
【課題を解決するための手段】
【００１１】
本発明によると、上記課題を解決するための手段として、
１．駆動電力およびデータ等の授受を行うための複数の接触端子と、この接触端子と接続された接触式インターフェイスと、アンテナと、このアンテナを介して受信した信号により駆動電力の生成および受信データの復調を行う非接触式インターフェイスとを有すると共に、前記接触式インターフェイスまたは非接触式インターフェイスにより選択的に駆動される制御回路とを有する複合ＩＣカードにおいて、
前記接触式インターフェイス及び非接触式インターフェイスの一方を選択して前記制御回路へ接続する選択接続手段と、
前記接触式インターフェイスから駆動電力が供給され前記非接触式インターフェイスから駆動電力が供給されていないとき前記接触式インターフェイスにより起動されたと判別し、前記非接触式インターフェイスから駆動電力が供給され前記接触式インターフェイスから駆動電力が供給されていないとき前記非接触式インターフェイスにより起動されたと判別する判別手段と、
この判別手段による判別結果に基づいて、前記制御回路による実行可能なコマンドを切り替える切替手段と、
前記判別手段による判別結果に基づいて、前記選択接続手段による前記接触式インターフェイス若しくは非接触式インターフェイスの一方を前記制御回路に接続した状態を維持すると共に、前記接触式インターフェイス若しくは非接触式インターフェイスの他方を介しての信号の入出力を禁止状態とする保持手段と、
前記接触式インターフェイスから駆動電力が供給され前記非接触式インターフェイスから駆動電力が供給されていない状態であるか、前記非接触式インターフェイスから駆動電力が供給され前記接触式インターフェイスから駆動電力が供給されていない状態であるかを示す、前記接触式インターフェイス及び非接触式インターフェイスからの状態信号に基づいて前記判別手段の初期化動作を行う初期化手段とを有し、
前記初期化手段は、前記接触式インターフェイス及び非接触式インターフェイスからの状態信号を記憶すると共に、予め記憶されるプログラムに基づいて前記判別手段の初期化動作を行い、
前記保持手段は、当該複合ＩＣカードが前記接触式インターフェイスまたは非接触式インターフェイスの一方を介して外部機器との通信中に、前記接触式インターフェイス及び非接触式インターフェイスからの状態信号を監視すると共に、この監視結果が、前記初期化手段に記憶されている前記接触式インターフェイス及び非接触式インターフェイスからの状態信号と変化しているか否かを判別し、変化している場合に前記外部機器との通信を停止状態とすることを特徴とする複合ＩＣカードが提供される。
【００１３】
また、本発明によると、上記課題を解決するための手段として、
２．接触式インターフェイスと非接触式インターフェイスとを有すると共に、前記接触式インターフェイスまたは非接触式インターフェイスにより選択的に駆動される制御回路とを有する複合ＩＣカード用ＩＣモジュールにおいて、
前記接触式インターフェイス及び非接触式インターフェイスの一方を選択して前記制御回路へ接続する選択接続手段と、
前記接触式インターフェイスから駆動電力が供給され前記非接触式インターフェイスから駆動電力が供給されていないとき前記接触式インターフェイスにより起動されたと判別し、前記非接触式インターフェイスから駆動電力が供給され前記接触式インターフェイスから駆動電力が供給されていないとき前記非接触式インターフェイスにより起動されたと判別する判別手段と、
この判別手段による判別結果に基づいて、前記制御回路による実行可能なコマンドを切り替える切替手段と、
前記判別手段による判別結果に基づいて、前記選択接続手段による前記接触式インターフェイス若しくは非接触式インターフェイスの一方を前記制御回路に接続した状態を維持すると共に、前記接触式インターフェイス若しくは非接触式インターフェイスの他方を介しての信号の入出力を禁止状態とする保持手段と、
前記接触式インターフェイスから駆動電力が供給され前記非接触式インターフェイスから駆動電力が供給されていない状態であるか、前記非接触式インターフェイスから駆動電力が供給され前記接触式インターフェイスから駆動電力が供給されていない状態であるかを示す、前記接触式インターフェイス及び非接触式インターフェイスからの状態信号に基づいて前記判別手段の初期化動作を行う初期化手段とを有し、
前記初期化手段は、前記接触式インターフェイス及び非接触式インターフェイスからの状態信号を記憶すると共に、予め記憶されるプログラムに基づいて前記判別手段の初期化動作を行い、
前記保持手段は、当該複合ＩＣカードが前記接触式インターフェイスまたは非接触式インターフェイスの一方を介して外部機器との通信中に、前記接触式インターフェイス及び非接触式インターフェイスからの状態信号を監視すると共に、この監視結果が、前記初期化手段に記憶されている前記接触式インターフェイス及び非接触式インターフェイスからの状態信号と変化しているか否かを判別し、変化している場合に前記外部機器との通信を停止状態とすることを特徴とする複合ＩＣカード用ＩＣモジュールが提供される。
【発明の効果】
【００１５】
上記した発明によれば、複合ＩＣカードが接触式または非接触式インターフェイスの一方を介して外部機器との通信中に、接触式及び非接触式インターフェイスからの状態信号を監視すると共に、この監視結果が、予め記憶されている接触式及び非接触式インターフェイスからの状態信号と変化しているか否かを判別し、変化している場合に外部機器との通信を停止状態とするようにしている。このため、接触式及び非接触式インターフェイスを有する複合ＩＣカード及び複合ＩＣカード用ＩＣモジュールにおいて、接触式及び非接触式インターフェイスのいずれのインターフェイスから駆動された場合でも誤動作を防止することができて、複合ＩＣカード及び複合ＩＣカード用ＩＣモジュールとしての信頼性を十分に確保することができるようになる。
【発明を実施するための最良の形態】
【００１６】
以下、図面を参照しながらこの発明の実施の形態について詳細に説明する。
【００１７】
まず、この発明による一実施の形態として適用される無線カードシステムについて図１乃至図３を参照して説明する。
【００１８】
図１は、この発明による複合ＩＣカードとして適用されるデータ記憶媒体としての無線コンビネーションカード（以下、単に、無線コンビカードと記す）を用いた無線カードシステムの構成を示すものである。
【００１９】
この無線カードシステムは、図１に示すように、データ処理装置としての無線カードリーダ・ライタ２００と、携帯可能で、接触式の通信機能と無線通信機能の双方の通信機能を有するデータ記憶媒体としての無線コンビカード３００とに大別される。
【００２０】
無線カードリーダ・ライタ２００は、無線コンビカード３００への読出し、書込み（記憶）コマンドの送信、読出しデータの処理、書込みデータの送信などを行うもので、図１に示すように、制御部２０７、変調回路２０４、送信用のドライバ２０３、送信アンテナ２０１、受信アンテナ２０２、受信用の増幅器２０５、復調回路２０６、キーボードなどの操作部２０９、表示部２０８、各部に動作電源を供給する電池などを主体に構成される電源部２１０、および外部装置（図示しない）と接続されるインターフェイス２１１などによって構成されている。
【００２１】
無線コンビカード３００は、無線カードリーダ・ライタ２００からのコマンドの解読、データの書込み（記憶）、データの送信などを行うもので、図１に示すように、送受信アンテナとしてのループ状アンテナコイル（図示しない）と同調コンデンサ（図示しない）とからなる並列同調回路（受信手段）３０１、電源生成部（電源生成手段）３０２、復調回路（復調手段）３０３、制御ロジック回路（ＣＰＵ）３０５、変調回路（変調手段）３０４、記憶手段としてのＥＥＰＲＯＭ等で構成される不揮発性メモリ３０６、およびクロック生成回路（クロック生成手段）３０７などによって構成されている。
【００２２】
なお、無線コンビカード３００は、後述する接触式の通信機能を実行する場合に用いられるものとして、図２に示すように、外部機器と接触して応答するための電気的接点機構となる外表面に露出した８個の電気接点Ｃ１〜Ｃ８を備えている。
【００２３】
以下、無線カードリーダ・ライタ２００および無線コンビカード３００について更に詳細に説明する。
【００２４】
まず、無線カードリーダ・ライタ２００における無線コンビカード３００に対するデータの読出しについて説明する。
【００２５】
無線カードリーダ・ライタ２００の制御部２０７で読出しコマンドを生成し、変調回路２０４へ送る。
【００２６】
変調回路２０４では、任意の変調方式でコマンドを変調し、送信用のドライバ２０３へ送る。
【００２７】
ドライバ２０３では、変調信号を放射するに十分な強度まで増幅し、増幅した信号を送信アンテナ２０１へ供給する。
【００２８】
送信アンテナ２０１に供給された信号は空間へ放射され、無線コンビカード３００の並列同調回路３０１で受信される。
【００２９】
この受信信号は、復調回路３０３で復調されて、制御ロジック回路３０５に送られ、ここでコマンド解析が行われる。
【００３０】
その結果、コマンドの内容が読出しであると解読すると、制御ロジック回路３０５は、カードデータが格納されている不揮発性メモリ３０６から所定のデータを読出して変調回路３０４へ送る。
【００３１】
変調回路３０４では、カードデータを変調して、並列同調回路３０１へ供給する。
【００３２】
並列同調回路３０１に供給された信号は空間へ放射され、無線カードリーダ・ライタ２００の受信アンテナ２０２で受信される。
【００３３】
この受信信号は、受信用の増幅器２０５へ送られる。
【００３４】
増幅器２０５では、受信信号を増幅した後、復調回路２０６へ送り、ここで復調する。
【００３５】
復調された信号は、制御部２０７へ送られ、ここで所定のデータ処理が行われる。
【００３６】
なお、必要に応じて表示部２０８でデータ表示が可能であり、また操作部２０９でデータ入力が可能である。
【００３７】
次に、無線カードリーダ・ライタ２００における無線コンビカード３００に対するデータの書込みについて説明する。
【００３８】
無線カードリーダ・ライタ２００の制御部２０７で書込みコマンドおよび書込みデータを生成し、変調回路２０４へ送る。
【００３９】
変調回路２０４では、任意の変調方式でコマンドおよびデータを変調し、送信用のドライバ２０３へ送る。
【００４０】
ドライバ２０３では、変調信号を放射するに十分な強度まで増幅し、増幅した信号を送信アンテナ２０１へ供給する。
【００４１】
送信アンテナ２０１に供給された信号は空間へ放射され、無線コンビカード３００の並列同調回路３０１で受信される。
【００４２】
この受信信号は、復調回路３０３で復調されて、制御ロジック回路３０５に送られ、ここでコマンド解析が行われる。
【００４３】
その結果、コマンドの内容が書込みであると解読すると、制御ロジック回路３０５は、書込みコマンドの後に送られてくる書込みデータを不揮発性メモリ３０６の所定のアドレスに書込む。
【００４４】
無線コンビカード３００内の電源生成部３０２は、上記並列同調回路３０１での受信信号を分岐して整流することにより、無線コンビカード３００内で消費する電源を生成するものである。
【００４５】
また、無線コンビカード３００内のクロック生成回路３０７は、上記並列同調回路３０１での受信信号に基づいて、各回路を動作させるのに必要なクロックを発生するものである。
【００４６】
このクロック生成回路３０７で生成されたクロックは復調回路３０３、変調回路３０４、および制御ロジック回路３０５に出力されている。
【００４７】
このように、無線カードリーダ・ライタ２００は、無線コンビカード３００の並列同調回路３０１と相対向する位置に送信アンテナ２０１と受信アンテナ２０２とを接近して配置する必要がある。
【００４８】
送信アンテナ２０１からは無線コンビカード３００に対して強度の強い信号が放射される。
【００４９】
また、受信系は、無線コンビカード３００からの微弱信号を受信する必要があるため高感度となっている。
【００５０】
次に、上記無線コンビカード３００内の詳細な構成を、図２、図３を用いて説明する。
【００５１】
無線コンビカード３００には、図２、図３に示すように、カード表面に端末装置との接触端子Ｃ１（ＶＣＣ）、Ｃ２（ＲＳＴ）、Ｃ３（ＣＬＫ）、Ｃ４（将来のための予備端子：ＲＦＵ）、Ｃ５（ＧＮＤ）、Ｃ６（ＶＰＰ：未使用）、Ｃ７（Ｉ／Ｏ）、Ｃ８（将来のための予備端子：ＲＦＵ）が接触式インターフェイス４０１として配置されている。
【００５２】
無線コンビカード３００のカード内には、図２、図３に示すような１チップマイクロプロセッサ３１０が埋め込まれている。
【００５３】
この１チップマイクロプロセッサ３１０は、図３に示すように、上記制御ロジック回路３０５に相当する制御用のＣＰＵ（セントラル・プロセッシング・ユニット）４０５、制御プログラムを記憶するＲＯＭ４０６、暗証番号（たとえば４桁）、およびデータなどが記録されるＥＥＰＲＯＭで構成されるデータメモリ４０７、ＵＡＲＴ等で構成されるインターフェイス回路４０８、一時記憶用のＲＡＭ４０９、暗号回路４０２などからなる一連のデータ処理装置を有している。
【００５４】
そして、このような無線コンビカード３００による接触式でのデータ交換に際しては、カード３００を挿入した端末装置より、接触端子Ｃ１からＶＣＣ（通常５Ｖ））端子へ電圧が供給されるとともに、接触端子Ｃ３、Ｃ２、Ｃ５を通してＣＬＫ（クロック）端子、ＲＳＴ（リセット）端子、ＧＮＤ（接地電位）端子に信号が入力され、同時に接触端子Ｃ７とＩ／Ｏポートが接続されてデータ交信が行われる。
【００５５】
上記各部はＩＣチップで構成され、１つの基板上に設けられている。
【００５６】
また、上記各端子とは配線により接続されていると共に、各端子とＩＣチップを搭載した基板とは、一体化されて、ＩＣモジュールとしてハンドリングされることにより、図２に示すように、カード表面に各端子が露出するようにカードに埋込まれている。
【００５７】
また、カード３００内には非接触式でのデータ交換のために、並列同調回路３０１が設けられている。
【００５８】
すなわち、並列同調回路３０１は、無線カードリーダ・ライタ２００の送信アンテナ２０１からの２相位相変調波信号（第１の２相位相変調波信号）を受信するとともに、ｆ0 ／２の搬送波周波数の２相位相変調波信号（第２の２相位相変調波信号）で送信も行われるものであり、図示しないループ状アンテナコイル３０１ａおよび同調コンデンサ３０１ｂにより構成されている。
【００５９】
この並列同調回路３０１において、ループ状アンテナコイル３０１ａからは受信と同時にｆ0 ／２の搬送波周波数で送信も行わせているが、受信電波から電源生成のための電力の確保を効率良く行わせる必要があり、このために受信した２相位相変調波信号の搬送波周波数ｆ0 に同調するようになっている。
【００６０】
上記送信のための搬送波周波数が受信する２相位相変調波信号の搬送波周波数の１／２ではなく、整数分の１であっても良い。
【００６１】
なお、ループ状アンテナコイル３０１ａは単に信号の授受のためのものであり、これらは１個のコイルを送受信用に兼用に設けてもよいが、送信用と受信用で別々にするようにしてもよい。
【００６２】
上記１チップマイクロプロセッサ３１０には、非接触式でのデータ交換のために、並列同調回路３０１を介してデータ交換を行なう非接触インターフェイス回路４００が内蔵されている。
【００６３】
この非接触インターフェイス回路４００には、上記並列同調回路３０１からの２相位相変調波信号により無線コンビカード３００内の回路全体に供給するための電源を生成する電源生成部３０２、並列同調回路３０１を介して受信したアナログ信号から動作用のクロックを生成するクロック生成回路（クロック生成手段）３０７、並列同調回路３０１を介して受信したアナログ信号を１チップマイクロプロセッサ３１０内のＣＰＵ４０５に読み込ませるためのデジタル信号に変換する復調回路（復調手段）３０３、ＣＰＵ４０５から送出される信号で発振回路出力を変調して並列同調回路３０１のループ状アンテナ（送信）コイルから送信するための変調回路（変調手段）３０４、クロック生成回路（クロック生成手段）３０７により生成されたクロックに基づきリセット信号を生成するリセット信号生成回路３０８などによって構成されている。
【００６４】
上記無線コンビカード３００内には、非接触式インターフェイス４００とアンテナコイル（並列同調回路３０１）との導通をＯＮ／ＯＦＦするスイッチ（ＳＷ１）３０９が設けられている。
【００６５】
このスイッチ（ＳＷ１）３０９は、ＣＰＵ４０５によって、通常ＯＮ（接続）状態となっているが、接触式インターフェイス４０１の接触端子Ｃ１からＶＣＣ（通常５Ｖ）端子へＶｃｃ電圧が印可されている場合には、ＣＰＵ４０５によって、このスイッチ（ＳＷ１）３０９をＯＦＦとするように構成されている。
【００６６】
そして、さらに、第１の実施の形態においては、上記スイッチ（ＳＷ１）３０９の他に、接触端子Ｃ１（ＶＣＣ）、Ｃ２（ＲＳＴ）、Ｃ３（ＣＬＫ）、Ｃ７（Ｉ／Ｏ）の各々に対応してスイッチ（ＳＷ２，ＳＷ３，ＳＷ４，ＳＷ５）３１２〜３１５が設けられる。
【００６７】
これらのスイッチ（ＳＷ２，ＳＷ３，ＳＷ４，ＳＷ５）３１２〜３１５の各一方の入力端が、接触端子Ｃ１（ＶＣＣ）、Ｃ２（ＲＳＴ）、Ｃ３（ＣＬＫ）、Ｃ７（Ｉ／Ｏ）の各々に対応して接続されている。
【００６８】
そして、スイッチ（ＳＷ２）３１２の他方の入力端が、非接触式インターフェイス４００の電源生成部３０２にて生成されたＶｃｃ電圧が入力されるように電源生成部３０２と接続されている。
【００６９】
ここで、スイッチ（ＳＷ２）３１２は、ＣＰＵ４０５によって制御される選択回路（ｓｅｌ）３２０の出力により、いずれか一方の入力端がイネーブル状態に選択される。
【００７０】
なお、スイッチ（ＳＷ２）３１２は、ＣＰＵ４０５によって、初期状態では電源生成部３０２にて生成されたＶｃｃ電圧が入力されるように、他方の入力端が選択されている。
【００７１】
また、スイッチ（ＳＷ３）３１３の他方の入力端が、非接触式インターフェイス４００のリセット信号生成回路３０８にて生成されたリセット信号が入力されるようにリセット信号生成回路３０８と接続されている。
【００７２】
ここで、スイッチ（ＳＷ３）３１３は、ＣＰＵ４０５によって制御される選択回路（ｓｅｌ）３２０の出力により、いずれか一方の入力端がイネーブル状態に選択される。
【００７３】
なお、スイッチ（ＳＷ３）３１３は、ＣＰＵ４０５によって、初期状態ではリセット信号生成回路３０８にて生成されたリセット信号が入力されるように、他方の入力端が選択されている。
【００７４】
また、スイッチ（ＳＷ４）３１４の他方の入力端が、非接触式インターフェイス４００のクロック生成回路３０７にて生成されたクロック信号が入力されるようクロック生成回路３０７と接続されている。
【００７５】
ここで、スイッチ（ＳＷ４）３１４は、ＣＰＵ４０５によって制御される選択回路（ｓｅｌ）３２０の出力により、いずれか一方の入力端がイネーブル状態に選択される。
【００７６】
なお、スイッチ（ＳＷ４）３１４は、ＣＰＵ４０５によって、初期状態ではクロック生成回路３０７にて生成されたクロック信号が入力されるように、他方の入力端が選択されている。
【００７７】
また、スイッチ（ＳＷ５）３１５の他方の入力端が、非接触式インターフェイス４００の復調回路（復調手段）３０３と接続されている。
【００７８】
また、スイッチ（ＳＷ５）３１５の一方の出力端が、非接触式インターフェイス４００の変調回路（変調手段）３０４と接続されている。
【００７９】
ここで、スイッチ（ＳＷ５）３１５は、ＣＰＵ４０５によって制御される選択回路（ｓｅｌ）３２０の出力により、復調回路（復調手段）３０３の出力端、変調回路（変調手段）３０４の入力端若しくは接触端子Ｃ７（Ｉ／Ｏ）と選択的に接続されるように、いずれか一方の入力端若しくは出力端がイネーブル状態に選択される。
【００８０】
なお、スイッチ（ＳＷ５）３１５は、ＣＰＵ４０５によって、初期状態では復調回路（復調手段）３０３の出力端、変調回路（変調手段）３０４の入力端が選択されて接続されている。
【００８１】
一方、接触式インターフェイス４０１の接触端子Ｃ１及び電源生成部３０２の出力は、各々ＣＰＵ４０５の端子Ａ，Ｂに入力されており、無線コンビカード３００が起動されて初期化動作を行なう際に、ＣＰＵ４０５において接触式インターフェイス４０１により駆動されているのか、若しくは、非接触式インターフェイス４００により駆動されているのかが判別されるようになっている。
【００８２】
そして、ＣＰＵ４０５は、ＲＯＭ４０６に記憶されている初期化動作を行うためのプログラムを読み出して初期化動作を行うようになされている。
【００８３】
次に、このような構成による無線コンビカードの動作を図４に示すフローチヤートに従って説明する。
【００８４】
例えば、カード３００を端末装置に挿入すると、カード３００の接触式インターフェイス４０１の接触端子Ｃ１からＶＣＣ（通常５Ｖ））電圧が印可される（ＳＴ１）。
【００８５】
ここで、接触端子Ｃ１からＶＣＣ（通常５Ｖ）端子へＶｃｃ電圧が印可されると、カード３００の選択回路（ｓｅｌ）３２０は、接触端子Ｃ１（ＶＣＣ）、Ｃ２（ＲＳＴ）、Ｃ３（ＣＬＫ）、Ｃ７（Ｉ／Ｏ）の各々を選択して接続するようスイッチ（ＳＷ２，ＳＷ３，ＳＷ４，ＳＷ５）３１２〜３１５の各々に対して選択信号「１」を出力する（ＳＴ１０１）。
【００８６】
その後、ＣＬＫ端子Ｃ３、ＲＳＴ端子Ｃ２から各々クロック信号、リセット信号が供給される（ＳＴ２，ＳＴ３）と、ＣＰＵ４０５は初期化動作を開始する（ＳＴ１０２）。
【００８７】
この初期化動作時において、ＣＰＵ４０５は、入力端子Ａ，Ｂの状態を確認し、無線コンビカード３００が、ＣＰＵ４０５において接触式インターフェイス４０１により起動されているか、非接触式インターフェイス４００により起動されているのかを判別する（ＳＴ１０３）。
【００８８】
すなわち、入力端子Ａが「１」で、入力端子Ｂが「０」での状態判別は、非接触式インターフェイス４００により、起動されていることとなる。
【００８９】
また、入力端子Ａが「０」で、入力端子Ｂが「１」での状態判別は、接触式インターフェイス４０１により、起動されていることとなる。
【００９０】
そして、入力端子Ａが「０」で、入力端子Ｂが「０」、若しくは、入力端子Ａが「１」で、入力端子Ｂが「１」での状態判別は、エラーとなる。
【００９１】
そして、エラーの場合、ＣＰＵ４０５は動作を停止する。
【００９２】
この場合、接触式インターフェイス４０１により起動されており、ＣＰＵ４０５は、入力端子Ａ，Ｂの状態をＲＡＭ４０９の所定エリアに保持する（ＳＴ１０４）。
【００９３】
非接触式インターフェイス４０１による起動の場合には、ＲＡＭ４０９の所定エリアに（１，０）を記憶し、接触式インターフェイスによる起動の場合には、ＲＡＭ４０９の所定エリアに（０，１）を記憶する。
【００９４】
次に、ＣＰＵ４０５はＲＡＭ４０９に格納されている情報により、カード３００が接触式インターフェイス４０１により起動されているか否か、すなわち、ＲＡＭ４０９に格納されているパターンが（０，１）であるか否かを判別する（ＳＴ１０５）。
【００９５】
接触式インターフェイス４０１により起動され、ＲＡＭ４０９の所定エリアのパターンが（０，１）の場合、ＣＰＵ４０５は、上記スイッチ（ＳＷ１）３０９をＯＦＦにする選択信号を出力する（ＳＴ１０６）。
【００９６】
この選択信号により、スイッチ（ＳＷ１）３０９はＯＦＦとされる。
【００９７】
また、この選択信号は選択回路（ｓｅｌ）３２０にも供給され、スイッチ（ＳＷ２，ＳＷ３，ＳＷ４，ＳＷ５）３１２〜３１５の各々が接触端子Ｃ１（ＶＣＣ）、Ｃ２（ＲＳＴ）、Ｃ３（ＣＬＫ）、Ｃ７（Ｉ／Ｏ）の各々を選択した状態を維持するよう選択回路（ｓｅｌ）３２０を制御する（ＳＴ１０６）。
【００９８】
この選択回路（ｓｅｌ）３２０の選択により、スイッチ（ＳＷ２，ＳＷ３，ＳＷ４，ＳＷ５）３１２〜３１５の各々が接触端子Ｃ１（ＶＣＣ）、Ｃ２（ＲＳＴ）、Ｃ３（ＣＬＫ）、Ｃ７（Ｉ／Ｏ）の各々を選択した状態が維持され、以後、端末装置からのＩ／Ｏポートを介してコマンドを受信し、コマンドに応じてＩ／Ｏポートを介しての接触式でのデータ交換が行われる。
【００９９】
すなわち、接触式でのデータ交換が行われている間は、上記スイッチ（ＳＷ１）３０９はＯＦＦにされていると共に、スイッチ（ＳＷ２，ＳＷ３，ＳＷ４，ＳＷ５）３１２〜３１５の各々が接触端子Ｃ１（ＶＣＣ）、Ｃ２（ＲＳＴ）、Ｃ３（ＣＬＫ）、Ｃ７（Ｉ／Ｏ）の各々を選択した状態が維持されるので、接触式でのデータ交換が行われている間、若しくは、接触式で駆動されている間に、並列同調回路３０１の受信アンテナコイル３０１ａに何らかの電波を受けたとしても、コンビカード３００は誤動作することなく、接触式での駆動若しくは、接触式でのデータ交換が確保される。
【０１００】
一方、非接触式インターフェイス４００による起動される場合、スイッチ（ＳＷ１）３０９は通常ＯＮ（接続）状態となっているので、並列同調回路３０１の受信アンテナコイル３０１ａにより電波を受信し（ＳＴ２０１）、上述した電源生成部３０２、クロック生成回路（クロック生成手段）３０７、復調回路（復調手段）３０３、変調回路（変調手段）３０４、リセット信号生成回路が動作する（ＳＴ２０２）。
【０１０１】
電源生成部３０２から電圧が印可されると、選択回路（ｓｅｌ）３２０は、選択信号「０」を出力する（ＳＴ２０２）。
【０１０２】
スイッチ（ＳＷ２，ＳＷ３，ＳＷ４，ＳＷ５）３１２〜３１５の各々は初期状態では電源生成部３０２、クロック生成回路（クロック生成手段）３０７、復調回路（復調手段）３０３、変調回路（変調手段）３０４、リセッ卜信号生成回路の各々を選択して接続しており、選択信号「０」は各スイッチスイッチ（ＳＷ２，ＳＷ３，ＳＷ４，ＳＷ５）３１２〜３１５の状態を変化させない。
【０１０３】
その後、クロック生成回路（クロック生成手段）３０７、リセット信号生成回路から各々クロック信号、リセット信号が供給されることにより、ＣＰＵ４０５は初期化動作を開始する（ＳＴ１０２）。
【０１０４】
この初期化動作時において、ＣＰＵ４０５は入力端子Ａ，Ｂの状態を確認し、無線コンビカード３００が、ＣＰＵ４０５において接触式インターフェイス４０１により起動されているのか、非接触式インターフェイス４００により起動されているのかを判別する（ＳＴ１０３）。
【０１０５】
この場合、非接触式インターフェイス４００により起動されており、ＣＰＵ４０５は入力端子Ａ，Ｂの状態をＲＡＭ４０９の所定エリアに（１，０）として記憶する（ＳＴ１０３）。
【０１０６】
次に、ＣＰＵ４０５はＲＡＭ４０９に格納されている情報により、カード３００が接触式インターフェイス４０１により起動されているのか、非接触式インターフェイス４００により起動されているのかを判別する（ＳＴ１０５，ＳＴ１０７）。
【０１０７】
非接触式インターフェイス４００により起動され、ＲＡＭ４０９の所定エリアのパターンが（１，０）であることが判別されると（ＳＴ１０６）、ＣＰＵ４０５は選択回路（ｓｅｌ）３２０及びスイッチ（ＳＷ１）３０９に対して選択信号「０」を出力する（ＳＴ１０８）。
【０１０８】
この選択信号「０」は各スイッチを初期状態に保持する。
【０１０９】
その後、スイッチ（ＳＷ２，ＳＷ３，ＳＷ４，ＳＷ５）３１２〜３１５の各々は電源生成部３０２、クロック生成回路（クロック生成手段）３０７、復調回路（復調手段）３０３、変調回路（変調手段）３０４、リセット信号生成回路の各々を選択して接続しており、それぞれ非接触インターフェイス４００が接続された状態となっている。
【０１１０】
以上のステップＳＴ１０２乃至ステップＳＴ１０８によりＣＰＵ４０５による初期化動作が完了する。
【０１１１】
なお、初期化動作としては、他にもＲＯＭ４０６，ＲＡＭ４０９，ＥＥＰＲＯＭ４０７等のハードウェアチェック等が行われている。
【０１１２】
初期化動作が完了すると、カード３００は外部とのデータの送受信が可能となる。
【０１１３】
接触式インターフェイス４０１によりカード３００を駆動している場合、外部装置（リーダライタ）は接触端子Ｃ３にクロックの供給を開始してから、４万クロックが経過した後に、接触端子Ｃ２に印可しているリセット信号を解除するようになっている。
【０１１４】
また、リセット信号生成回路３０８も同様に、クロック生成回路３０７によるクロックの供給が開始されてから、所定数のクロックが経過した後に、リセット信号を解除するようになっている。
【０１１５】
そして、ＣＰＵ４０５は、接触端子Ｃ２に印可されているリセット信号が解除されるか、リセット信号生成回路３０８からのリセット信号が解除されると、接触式インターフェイス４０１、非接触式インターフェイス４００のうち選択されている一方を介して初期応答信号（ＡＴＲ）を外部装置（リーダライタ）に出力する。
【０１１６】
外部装置（リーダライタ）はカード３００より初期応答信号（ＡＴＲ）を受信すると、カード３００とのコマンドの送受信が可能となり、カード３００に対してコマンドの送信を行う。
【０１１７】
カード３００は接触式インターフェイス４０１、非接触式インターフェイス４００のうち、現在、選択されている一方を介してコマンドを受信する（ＳＴ１１０）。
【０１１８】
コマンドを受信すると、ＣＰＵ４０５は入力端子Ａ，Ｂの状態を判別し、ＲＡＭ４０９に格納されているパターン（初期状態）と比較する（ＳＴ１１１）。
【０１１９】
入力端子Ａ，Ｂの状態とＲＡＭ４０９に格納されているパターン（初期状態）とが同一であることが確認されると（ＳＴ１１２）、ＣＰＵ４０５は受信したコマンドを実行し、その処理結果を外部に出力する（ＳＴ１１３）。
【０１２０】
そして、以後、同様に外部装置との間でのコマンドおよびデータの送受信が行われる。
【０１２１】
外部からの不正な試みや異常が発生していない場合には、入力端子Ａ，Ｂの状態とＲＡＭ４０９に格納されているパターン（初期状態）とは同一でなければならず、ステップ１１２において、入力端子Ａ，Ｂの状態とＲＡＭ４０９に格納されているパターン（初期状態）とが同一でないことが確認されるとＣＰＵ４０５はエラー出力を行って動作を停止する（ＳＴ１１４）。
【０１２２】
なお、並列同調回路３０１の受信アンテナコイル３０１ａを通して受信された信号は、復調回路（復調手段）３０３でデジタル信号に変換されると共に、ＵＡＲＴ（Ｉ／Ｏ）４０８を通してＣＰＵ４０５に取り込まれて適宜信号処理された後、必要に応じてＲＡＭ４０９等に記憶される。
【０１２３】
また、端末側に送信すべき信号は、ＵＡＲＴ（Ｉ／Ｏ）４０８から変調回路３０４へ出力され、クロック生成回路３０７の出力を変調して並列同調回路３０１のアンテナコイルを通して送信される。
【０１２４】
こうして、非接触式でのデータ交換が行われる。
【０１２５】
この実施の形態においては、ＣＰＵ４０５は初期化時に、入力端子Ａ，Ｂの状態を確認し、無線コンビカード３００が、ＣＰＵ４０５において接触式インターフェイス４０１により起動されているのか、非接触式インターフェイス４００により起動されているのかを判別し、その結果をＲＡＭ４０９に保持するようにしている。
【０１２６】
そして、端末機器との情報交換中に入力端子Ａ，Ｂの状態を監視し、ＲＡＭ４０９に保持しているパターンと比較することにより、状態が変化したか否かを判別することができる。
【０１２７】
ＣＰＵ４０５は、入力端子Ａ，Ｂの状態を監視し、ＲＡＭ４０９に保持しているパターンと同一の場合には正常状態であり問題なしとするが、入力端子Ａ，Ｂの状態とＲＡＭ４０９に保持しているパターンとが異なる場合には何らかの異常状態が発生していることが予想されるため、端末機器に対してはエラーレスポンスを出力して、ＣＰＵ４０５の動作を停止状態とすることができる。
【０１２８】
なお、スイッチ（ＳＷ２，ＳＷ３，ＳＷ４，ＳＷ５）３１２〜３１５の各々を初期状態において接触端子Ｃ１（ＶＣＣ）、Ｃ２（ＲＳＴ）、Ｃ３（ＣＬＫ）、Ｃ７（Ｉ／Ｏ）の各々を選択した状態とする場合には、図５に示すように選択回路（ｓｅｌ）３２０の出力信号を反転したものを選択信号として用いることにより、同様の動作を行うことができる。
【０１２９】
次に、本実施の形態の具体例について図６乃至図９を参照して説明する。
【０１３０】
本実施の形態においては、外部機器と接触して応答する場合及び外部機器と非接触で応答する場合の双方においてメモリ等のＩＣが共用されるとともに、外部機器と非接触で応答する場合及び、接触式で応答する場合の双方においてＣＰＵ４０５を動作させる。
【０１３１】
このため、本実施の形態においては、外部機器と接触式で応答する場合と外部機器と非接触で応答する場合とにおいて、実行可能なコマンドを切替えることにより、同一メモリを共用しつつ、接触式と非接触式との独立性を保持する。
【０１３２】
すなわち、上記ＲＯＭ４０６には、各種アプリケーション及びコマンドを処理するためのサブルーチンプログラムが保持されており、外部機器から受信したコマンドにより、ＣＰＵ４０５はＲＯＭ４０６のサブルーチンプログラムを読み出して実行する。
【０１３３】
そして、上記ＥＥＰＲＯＭ４０７のシステムエリアには、各種定義情報として外部機器から受信したコマンドとＲＯＭ４０６のサブルーチンプログラムを対応させるコマンドテーブル（リスト）が記憶されており、このコマンドテーブル（リスト）が接触式と非接触式との場合で区別されるようになっている。
【０１３４】
また、上記ＥＥＰＲＯＭ４０７のユーザエリアには、残高データ、取引き履歴等の各種取引き情報が記憶されている。
【０１３５】
すなわち、接触式のコマンドリストは図６に示すように設定され、非接触式のコマンドリストは図７に示すように設定されている。
【０１３６】
この設定はカードの一次発行時に製造者若しくは発行者によりコマンドテーブル（リスト）が書込まれることで設定されるようになっている。
【０１３７】
そして、ＣＰＵ４０５では、図９に示すようなフローチャートに基づいた処理が行われる。
【０１３８】
つまり、接触式インターフェイス４０１により起動されたときでＲＡＭ４０９の所定エリアのパターンが（０，１）の場合には、図６に示すコマンドテーブル（リスト）が参照される（ステップＳ１，Ｓ３）。
【０１３９】
また、非接触式インターフェイス４００により起動されたときでＲＡＭ４０９の所定エリアのパターンが（１，０）の場合には、図７に示すコマンドテーブル（リスト）が参照される（ステップＳ２，Ｓ４）。
【０１４０】
そして、これらのコマンドテーブル（リスト）の参照により、それらの中に受信したコマンドと一致するものがあればＲＯＭ４０６のサブルーチンプログラムが実行される（ステップＳ５，Ｓ６）。
【０１４１】
すなわち、接触式インターフェイス４０１により起動されている場合には、ＡＡＡ（追加書込）、ＢＢＢ（読み出し）、ＣＣＣ（書き換え）、ＤＤＤ（消去）、ＥＥＥ（システムデータの追加、変更）のコマンドが実行可能される。
【０１４２】
また、非接触式インターフェイス４００により起動されている場合には、ＡＡＡ（追加書込）、ＢＢＢ（読み出し）、のコマンドのみが実行可能であり、ＥＥＰＲ０Ｍ４０７のユーザエリアに対する追加書込と読み出しのみが外部装置から実行可能となる。
【０１４３】
従って、この無線コンビカード３００においては、端末装置に挿入されて、接触式インターフェイス４０１により起動されている場合には、プリペイド残高等のデータの更新（加算）や、不要なデータの消去等が可能である。
【０１４４】
一方、非接触式インターフェイス４００により起動されている場合、すなわち、無線式の自動改札機、バスの精算機や自動販売機に使用されている場合には、残高の読み出しや、使用金額を履歴データとして追加書込みすることは可能であるが、他のコマンドは実行不可能となる。
【０１４５】
このように外部機器と接触式で応答する場合と外部機器と非接触で応答する場合とにおいて、実行可能なコマンドを切替えることにより、非接触で応答する場合に単にデータを出力する照合媒体として利用するだけでなく、プリペイドカードとしても利用可能となる等、種々の用途に用いることができる。
【０１４６】
また、上記の説明では接触式のコマンドリストと非接触式のコマンドリストを別々に設定したが、図８に示すように、同一のコマンドテーブル（リスト）により実現することも可能である。
【０１４７】
すなわち、図８に示すように、接触式の場合のコマンドの実行可否及び非接触式の場合のコマンドの実行可否をテーブル中のフラグ情報として保持し、接触式インターフェイス４０１により起動されたときでＲＡＭ４０９の所定エリアのパターンが（０，１）の場合には、接触式の場合のコマンドの実行可否フラグを参照する。
【０１４８】
また、非接触式インターフェイス４００により起動されたときでＲＡＭ４０９の所定エリアのパターンが（１，０）の場合には、非接触式の場合のコマンドの実行可否フラグを参照して、コマンドの実行可否を判定する。
【０１４９】
すなわち、実行可否フラグが「１」の場合には実行可能であり、「０」の場合には実行不可であると判定する。
【０１５０】
したがって、以上のような実施の形態によれば、外部機器と接触式で応答する場合と外部機器と非接触で応答する場合とにおいて、実行可能なコマンドを切替えることにより、非接触で応答する場合に単にデータを出力する照合媒体として利用するだけでなく、プリペイドカードとしても利用可能となる等、種々の用途に用いることができる。
【０１５１】
また、以上のような実施の形態によれば、接触式インターフェイス４０１を介して駆動されている間、非接触式インターフェイス４００の動作を動作禁止状態とする禁止手段を有するので、接触式インターフェイス４０１を介して情報交換されている間に周囲で電波が放射されても誤動作しない。
【０１５２】
また、以上のような実施の形態によれば、非接触式インターフェイス４００とアンテナコイル（並列同調回路）３０１との導通を遮断する手段により構成されているので、接触式インターフェイス４０１を介して情報交換されている間に周囲で電波が放射されても受信することなく、誤動作しない。
【０１５３】
また、以上のような実施の形態によれば、マイクロプロセッサ３１０の非接触式インターフェイス４００は並列同調回路３０１の出力により動作する電源生成部３０２、クロック生成回路（クロック生成手段）３０７、復調回路（復調手段）３０３、変調回路（変調手段）３０４、リセット信号生成回路３０８を有し、非接触式インターフェイス４００と並列同調回路３０１の導通をＯＮ／ＯＦＦするスイッチ３０９を有し、接触式インターフェイス４０１を介してＶｃｃ電圧が印可されている場合には、このスイッチ３０９をＯＦＦとするように構成されているので、接触式インターフェイスを介して情報交換されている間に、周囲で電波が放射されても、非接触式インターフェイス４００は全く動作せず、誤動作しない。
【０１５４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１５５】
【図１】この発明による複合ＩＣカードとして適用されるデータ記憶媒体としての無線コンビネーションカード（無線コンビカード）を用いた無線カードシステムの構成を示すブロック図。
【図２】無線コンビカードが外部機器と接触して応答するための電気的接点機構となる外表面に露出して設けられている電気接点とカード内に埋め込まれている１チップマイクロプロセッサとを示す図。
【図３】この発明の実施の形態として適用される無線コンビカードのカード内に埋め込まれている１チップマイクロプロセッサの構成を示すブロック図。
【図４】この発明による複合ＩＣカードとして適用されるデータ記憶媒体としての無線コンビネーションカード（無線コンビカード）を用いた無線カードシステムの動作を説明するためのフローチャート。
【図５】この発明の実施の形態の変形例として適用される無線コンビカードのカード内に埋め込まれている１チップマイクロプロセッサの構成を示すブロック図。
【図６】接触式用として設定されているコマンドリストを示す図。
【図７】非接触式用として設定されているコマンドリストを示す図。
【図８】接触式及び非接触式用として設定されているコマンドリストを示す図。
【図９】ＣＰＵによる処理動作を説明するためのフローチャート。
【符号の説明】
【０１５６】
２００…無線カードリーダ・ライタ、
３００…無線コンビネーションカード（無線コンビカード、複合ＩＣカード）、
２０７…制御部、
２０４…変調回路、
２０３…送信用のドライバ、
２０１…送信アンテナ、
２０２…受信アンテナ、
２０５…受信用の増幅器、
２０６…復調回路、
２０９…操作部、
２０８…表示部、
２１０…電源部、
２１１…インターフェース、
３０１…並列同調回路（受信手段）、
３０１ａ…ループ状アンテナコイル、
３０１ｂ…同調コンデンサ、
３０２…電源生成部（電源生成手段）、
３０３…復調回路（復調手段）、
３０５…制御ロジック回路（ＣＰＵ）、
３０４…変調回路（変調手段）、
３０６…不揮発性メモリ、
３０７…クロック生成回路（クロック生成手段）、
Ｃ１〜Ｃ８…電気接点、
３１０…１チップマイクロプロセッサ、
３２０…選択回路（ｓｅｌ）、
４０２…暗号回路、
４０５…ＣＰＵ（セントラル・プロセッシング・ユニット）、
４０６…ＲＯＭ、
４０７…データメモリ（ＥＥＰＲＯＭ）、
４０８…インターフェイス回路、
４０９…ＲＡＭ、
４００…非接触式インターフェイス、
３０９…スイッチ（ＳＷ、禁止手段）、
４０１…接触式インターフェイス、
３１２〜３１５…スイッチ（ＳＷ２，ＳＷ３，ＳＷ４，ＳＷ５、禁止手段）。
【図１】
0004550860.tif 000002
【図２】
0004550860.tif 000003
【図３】
0004550860.tif 000004
【図４】
0004550860.tif 000005
【図５】
0004550860.tif 000006
【図６】
0004550860.tif 000007
【図７】
0004550860.tif 000008
【図８】
0004550860.tif 000009
【図９】
0004550860.tif 000010